(57)【要約】【課題】エアフィルタを備え、天井に設置される空気調和装置の室内ユニットにおいて、該エアフィルタから除去された塵埃を塵埃貯留容器内に効率良く貯留することができ、これにより、塵埃の回収作業の効率向上を図れるような構成を得る。【解決手段】空気中の塵埃を捕捉するエアフィルタ（41）と、該エアフィルタ（41）に捕捉された塵埃を除去する塵埃除去手段（42）と、該塵埃除去手段（42）によってエアフィルタ（41）から除去された塵埃を貯留する塵埃貯留容器（43）と、該塵埃貯留容器（43）内に貯留された塵埃を均して該塵埃貯留容器（43）内全体に塵埃を広げる塵埃均し手段（60）とを設ける。【選択図】図７
2008209086.tif 000002
【特許請求の範囲】
【請求項１】
天井に設置されるケーシング（34）と、該ケーシング（34）内に収納される室内ファン（39）と、該室内ファン（39）の吸い込み側に設けられるエアフィルタ（41）とを備えた空気調和装置の室内ユニットであって、
上記エアフィルタ（41）によって捕捉された塵埃を除去する塵埃除去手段（42）と、
上記塵埃除去手段（42）によって除去された塵埃を貯留する塵埃貯留容器（43）と、
上記塵埃貯留容器（43）内に貯留された塵埃を均して該塵埃貯留容器（43）内全体に塵埃を広げる塵埃均し手段（60）とを備えていることを特徴とする空気調和装置の室内ユニット。
【請求項２】
請求項１において、
上記塵埃均し手段（60）は、少なくとも一部が上記塵埃貯留容器（43）内に位置し且つ回転可能に設けられた回転ブラシ（50,71）を備えていることを特徴とする空気調和装置の室内ユニット。
【請求項３】
請求項２において、
上記塵埃貯留容器（43）には、上方に向かって開口する開口部(43a）が設けられていて、
上記回転ブラシ（50）は、その下側部分が上記塵埃貯留容器（43）の内方に突出し且つ上側部分が該塵埃貯留容器（43）の外方に突出するように上記開口部（43a）内の所定高さに配置されていて、上記下側部分が上記塵埃均し手段（60）を、上記上側部分が上記塵埃除去手段（42）をそれぞれ構成することを特徴とする空気調和装置の室内ユニット。
【請求項４】
請求項１において、
上記塵埃除去手段(42）は、上記エアフィルタ（41）に当接しながら回転するように構成された回転ブラシ（50）を備えていて、
上記塵埃均し手段（70）は、上記塵埃貯留容器（43）内の回転ブラシの下方から塵埃を掻き出すように、該塵埃貯留容器（43）内に上記回転ブラシ（50）に対して略平行に配置された第２の回転ブラシ（71,71）を備えていることを特徴とする空気調和装置の室内ユニット。
【請求項５】
請求項１において、
上記塵埃均し手段は、上記塵埃貯留容器（32）に振動を与える加振手段（80）であることを特徴とする空気調和装置の室内ユニット。
【請求項６】
請求項５において、
上記塵埃貯留容器（43）を昇降させる昇降手段（44）を備えていて、
上記加振手段（80）は、上記昇降手段（44）によって上記塵埃貯留容器（43）に振動を与えるように構成されていることを特徴とする空気調和装置の室内ユニット。
【請求項７】
請求項１において、
上記塵埃均し手段（90）は、上記塵埃貯留容器（43）内の塵埃に風圧を加える風圧付与手段（39）を備えていることを特徴とする空気調和装置の室内ユニット。
【請求項８】
請求項７において、
上記塵埃貯留容器（43）には、上記塵埃除去手段によって除去された塵埃の進入口を構成するように上方に向かって開口する開口部（43a）と、該開口部（43a）よりも通路面積の小さい通気孔（43b）と、が形成されていて、
上記風圧付与手段は、上記室内ファン（39）であり、上記通気孔（43b）を介して上記塵埃貯留容器（43）内に風圧を付与するように構成されていることを特徴とする空気調和装置の室内ユニット。
【発明の詳細な説明】
【技術分野】
【０００１】
本発明は、室内空間の天井に設置される空気調和装置の室内ユニットに関するものである。
【背景技術】
【０００２】
従来より、空間内の空気調和を行う空気調和装置の室内ユニットの一つとして、該空間の天井に設置される構成のものが知られている。例えば特許文献１に開示されるように、この種の室内ユニットは、天井に設置されるケーシング内に室内ファンが収納されていて、該室内ファンの吸い込み側には、塵埃を捕捉するためのエアフィルタや該エアフィルタの室内側に位置する吸込グリルなどが設けられている。
【０００３】
また、上記特許文献１に開示される室内ユニットでは、円形状のエアフィルタによって捕捉された塵埃を除去するための回転ブラシが設けられていて、該回転ブラシの植毛を該エアフィルタに接触させながら該エアフィルタを同一平面上で回転させることによって、該エアフィルタに付着している塵埃を掻き取るように構成されている。そして、掻き取られた塵埃は、上記回転ブラシの収納されている捕集ケース内に貯留されるように構成されている。
【０００４】
なお、上記エアフィルタに捕捉された塵埃を除去する手段としては、上述のように回転ブラシによって掻き取る方法以外に、例えば特許文献２に開示されるように、塵埃の吸込口を有する管体を用いてエアフィルタに捕捉された塵埃を吸い込む方法などが考えられている。
【特許文献１】特開２００６−７１１２１号公報
【特許文献２】特開２００５−８３７２１号公報
【発明の開示】
【発明が解決しようとする課題】
【０００５】
ところで、上記特許文献１，２のような従来の構成では、捕集ケース内に貯留される塵埃は、該捕集ケース内の開口部の下方近傍に多く堆積する。そうすると、上記捕集ケース内の空間をいくら広くしても、その空間内の一部に塵埃を貯留しただけで、すぐに開口部から溢れ出てしまう。したがって、上記捕集ケース内の空間全体に塵埃を効率良く貯留することができず、塵埃の回収効率の悪化を招くことになる。
【０００６】
本発明は、かかる点に鑑みてなされたものであり、その目的とするところは、エアフィルタを備え、天井に設置される空気調和装置の室内ユニットにおいて、該エアフィルタから除去された塵埃を塵埃貯留容器内に効率良く貯留することができ、これにより、塵埃の回収作業の効率向上を図れるような構成を得ることにある。
【課題を解決するための手段】
【０００７】
上記目的を達成するために、本発明に係る空気調和装置（10）の室内ユニット（13）では、エアフィルタ（41）から除去されて塵埃貯留容器（43）内に貯留される塵埃を均して、該塵埃貯留容器（43）内全体に塵埃を広げることのできる塵埃均し手段（60）を設けた。
【０００８】
具体的には、第１の発明は、天井に設置されるケーシング（34）と、該ケーシング（34）内に収納される室内ファン（39）と、該室内ファン（39）の吸い込み側に設けられるエアフィルタ（41）とを備えた空気調和装置の室内ユニットを対象とする。
【０００９】
そして、上記エアフィルタ（41）によって捕捉された塵埃を除去する塵埃除去手段（42）と、上記塵埃除去手段（42）によって除去された塵埃を貯留する塵埃貯留容器（43）と、上記塵埃貯留容器（43）内に貯留された塵埃を均して該塵埃貯留容器（43）内全体に塵埃を広げる塵埃均し手段（60）とを備えているものとする。
【００１０】
この構成により、エアフィルタ（41）に捕捉された塵埃は塵埃除去手段（42）によって除去され、塵埃貯留容器（43）内に貯留される。そして、該塵埃貯留容器（43）内に貯留された塵埃は、塵埃均し手段（60）によって均されて、該塵埃貯留容器（43）内全体に広げられるため、該塵埃貯留容器（43）内に塵埃を効率良く貯留させることができる。これにより、上記塵埃貯留容器（43）内にできるだけ多くの塵埃を貯留させることができ、該塵埃貯留容器（43）からの塵埃の回収作業の頻度を減らすことができる。
【００１１】
上述の構成において、上記塵埃均し手段（60）は、少なくとも一部が上記塵埃貯留容器（43）内に位置し且つ回転可能に設けられた回転ブラシ（50）によって構成されているのが好ましい（第２の発明）。これにより、回転ブラシ（50）という簡単な構成によって、塵埃貯留容器（43）内に貯留された塵埃を均して該塵埃貯留容器（43）内全体に広げることができる。すなわち、上述のように上記塵埃均し手段（60）を回転ブラシによって構成することで、簡単な構成により上記第１の発明の構成を実現することができる。
【００１２】
また、上記塵埃貯留容器（43）には、上方に向かって開口する開口部(43a）が設けられていて、上記回転ブラシ（50）は、その下側部分が上記塵埃貯留容器（43）の内方に突出し且つ上側部分が該塵埃貯留容器（43）の外方に突出するように上記開口部（43a）内の所定高さに配置されていて、上記下側部分が上記塵埃均し手段（60）を、上記上側部分が上記塵埃除去手段（42）をそれぞれ構成するのが好ましい（第３の発明）。
【００１３】
ここで、上記所定高さとは、上記塵埃貯留容器（43）内で塵埃を均す必要のある高さを意味する。例えば、上記塵埃貯留容器（43）内に貯留された塵埃が開口部（43a）から外部へ飛散するおそれのあるような高さに設定される。
【００１４】
このように、塵埃貯留容器（43）の開口部（43a）内に回転ブラシ（50）を配置し、該回転ブラシ（50）を、エアフィルタ（41）から塵埃を除去するための塵埃除去手段（42）、及び塵埃貯留容器（43）内に貯留された塵埃を均すための塵埃均し手段（60）として用いることで、塵埃を均すための回転ブラシ（50）を別途設けることなく塵埃を除去する回転ブラシ（50）と兼用することができる。これにより、室内ユニット（13）の製造コストの低減やコンパクト化等を図ることができる。
【００１５】
また、上記塵埃除去手段(42）は、上記エアフィルタ（41）に当接しながら回転するように構成された回転ブラシ（50）を備えていて、上記塵埃均し手段（70）は、上記塵埃貯留容器（43）内の回転ブラシの下方から塵埃を掻き出すように、該塵埃貯留容器（43）内に上記回転ブラシ（50）に対して略平行に配置された第２の回転ブラシ（71,71）を備えているのが好ましい（第４の発明）。
【００１６】
これにより、上記塵埃貯留容器（43）内の塵埃を専用の回転ブラシ（71）によって均すことができるため、塵埃を該塵埃貯留容器（43）内全体により確実に広げることができ、該塵埃貯留容器（43）内に塵埃をより効率良く貯留することができる。
【００１７】
一方、上記塵埃均し手段は、上記塵埃貯留容器（32）に振動を与える加振手段（80）であってもよい（第５の発明）。これにより、上記塵埃貯留容器（43）内に貯留された塵埃を振動によって均すことができ、塵埃を該塵埃貯留容器（43）内全体により均一に貯留させることができる。したがって、上記塵埃貯留容器（43）内により効率良く塵埃を溜めることができ、塵埃の回収効率をより向上することができる。
【００１８】
具体的には、上記塵埃貯留容器（43）を昇降させる昇降手段（44）を備えていて、上記加振手段（80）は、上記昇降手段（44）によって上記塵埃貯留容器（43）に振動を与えるように構成されているのが好ましい（第６の発明）。
【００１９】
こうすることで、上記塵埃貯留容器（43）を昇降させるための昇降手段（44）を用いて、該塵埃貯留容器（43）に振動を与えることができるため、加振手段を別途設ける必要がなくなり、室内ユニット（13）の製造コストの低減及びコンパクト化を図れる。
【００２０】
また、上記塵埃均し手段（90）は、上記塵埃貯留容器（43）内の塵埃に風圧を加える風圧付与手段（39）を備えていてもよい（第７の発明）。これにより、上記塵埃貯留容器（43）内に貯留された塵埃を風圧によって均すことができ、塵埃を該塵埃貯留容器（43）内全体に均一に貯留させることができる。したがって、上記塵埃貯留容器（43）内に効率良く塵埃を溜めることができ、塵埃の回収効率を向上することができる。
【００２１】
具体的には、上記塵埃貯留容器（43）には、上記塵埃除去手段によって除去された塵埃の進入口を構成するように上方に向かって開口する開口部（43a）と、該開口部（43a）よりも通路面積の小さい通気孔（43b）と、が形成されていて、上記風圧付与手段は、上記室内ファン（39）であり、上記通気孔（43b）を介して上記塵埃貯留容器（43）内に風圧を付与するように構成されているのが好ましい（第８の発明）。
【００２２】
これにより、室内ファン（39）の風圧を利用して、上記塵埃貯留容器（43）内に貯留された塵埃を均すことができるため、該塵埃貯留容器（43）内に風圧を付与するための風圧付与手段を別途、設ける必要がなくなり、室内ユニット（13）の製造コストの低減及びコンパクト化を図れる。
【発明の効果】
【００２３】
以上より、本発明に係る空気調和装置の室内ユニット（13）では、エアフィルタ（41）から除去されて塵埃貯留容器（43）内に貯留された塵埃を塵埃均し手段（60）によって均すようにしたため、該塵埃貯留容器（43）内全体に塵埃を広げて、塵埃を効率良く貯留することができる。したがって、上記塵埃貯留容器（43）から塵埃を回収する頻度を減らすことができ、塵埃回収の作業効率を向上することができる。
【００２４】
また、第２の発明によれば、上記塵埃均し手段（60）は、少なくとも一部が上記塵埃貯留容器（43）内に位置する回転ブラシ（50）によって構成されるため、簡単な構成で該塵埃貯留容器（43）内の塵埃を均して、塵埃回収の作業効率を向上することができる。
【００２５】
また、第３の発明によれば、上記回転ブラシ（50）は、上記塵埃貯留容器（43）の開口部（43a）内に配置され、該塵埃貯留容器（43）の内方に突出した下側部分が上記塵埃均し手段（60）を、外方に突出した上側部分が塵埃除去手段（42）を、それぞれ構成しているため、塵埃均し手段及び塵埃除去手段をそれぞれ別に設けることなく、一つの回転ブラシ（50）で兼用することができる。したがって、室内ユニット（13）の製造コストの低減及びコンパクト化を図れる。
【００２６】
また、第４の発明によれば、上記塵埃均し手段（70）は、上記塵埃除去手段としての回転ブラシ（50）に対して略平行に設けられ且つ回転ブラシ（50）の下方に位置する塵埃を掻き出すことのできる第２の回転ブラシ（71）を備えているため、塵埃貯留容器（43）内で塵埃をより均一に均すことができ、該塵埃貯留容器（43）内に塵埃をより効率良く貯留させることができる。したがって、塵埃回収の作業効率をより向上することができる。
【００２７】
一方、第５の発明によれば、上記塵埃均し手段は、上記塵埃貯留容器（43）に振動を与える加振手段（80）によって構成されているため、振動によって該塵埃貯留容器（43）内の塵埃をより均一に均すことができ、該塵埃貯留容器（43）内に塵埃を効率良く貯留させることができる。したがって、塵埃回収の作業効率を向上することができる。
【００２８】
また、第６の発明によれば、上記加振手段は、上記塵埃貯留容器（43）を昇降させる昇降手段（44）によって該塵埃貯留容器（43）に振動を与えるように構成されているため、別途、加振手段を設ける必要がなくなり、室内ユニット（13）の製造コストの低減及びコンパクト化を図れる。
【００２９】
さらに、第７の発明によれば、上記塵埃均し手段は、上記塵埃貯留容器（43）内の塵埃に風圧を加える風圧付与手段を備えているため、風圧によって該塵埃貯留容器（43）内の塵埃をより均一に均すことができ、該塵埃貯留容器（43）内に塵埃を効率良く貯留させることができる。したがって、塵埃回収の作業効率を向上することができる。
【００３０】
また、第８の発明によれば、上記風圧付与手段は、室内ファン（39）であり、上記塵埃貯留容器（43）に形成された開口部（43a）よりも通路面積の小さい通気孔（43b）を介して該塵埃貯留容器（43）内に風圧を付与するように構成されているため、風圧付与手段を別途設ける必要がなくなり、室内ユニット（13）の製造コストの低減及びコンパクト化を図れる。
【発明を実施するための最良の形態】
【００３１】
以下、本発明の実施形態を図面に基づいて詳細に説明する。なお、以下の好ましい実施形態の説明は、本質的に例示に過ぎず、本発明、その適用物或いはその用途を制限することを意図するものではない。
【００３２】
《実施形態１》
本実施形態に係る室内ユニット（13）を備えた空気調和装置（10）の冷媒回路の概略構成を図１に示す。この空気調和装置（10）では、室内ユニット（13）が室内空間の天井に設置される。なお、以下では、先ず本実施形態に係る空気調和装置（10）について説明し、次に本発明に係る室内ユニット（13）について説明する。
【００３３】
−空気調和装置の構成−
本実施形態に係る空気調和装置（10）は、図１に示すように、室外ユニット（11）と室内ユニット（13）とを備えている。室外ユニット（11）には、圧縮機（30）、室外熱交換器（35）、膨張弁（36）、四路切換弁（33）及び室外ファン（12）が設けられている。室内ユニット（13）には、室内熱交換器（37）及び室内ファン（39）が設けられている。
【００３４】
上記室外ユニット（11）において、圧縮機（30）の吐出側は、四路切換弁（33）の第１ポート（P1）に接続されている。圧縮機（30）の吸入側は、四路切換弁（33）の第３ポート（P3）に接続されている。
【００３５】
室外熱交換器（35）は、クロスフィン式のフィン・アンド・チューブ型熱交換器として構成されている。室外熱交換器（35）の一端は、四路切換弁（33）の第４ポート（P4）に接続されている。室外熱交換器（35）の他端は、開度可変の膨張弁（36）を介して液側閉鎖弁（15）に接続されている。
【００３６】
室外ファン（12）は、室外熱交換器（35）の近傍に設けられている。室外熱交換器（35）では、室外ファン（12）によって送られる室外空気と該室外熱交換器（35）内を流通する冷媒との間で熱交換が行われる。また、四路切換弁（33）の第２ポート（P2）はガス側閉鎖弁（16）に接続されている。
【００３７】
四路切換弁（33）は、第１ポート（P1）及び第２ポート（P2）が互いに連通し且つ第３ポート（P3）及び第４ポート（P4）が互いに連通する第１状態（図１に実線で示す状態）と、第１ポート（P1）及び第４ポート（P4）が互いに連通し且つ第２ポート（P2）及び第３ポート（P3）が互いに連通する第２状態（図１に破線で示す状態）とが切り換え可能となっている。
【００３８】
この空気調和装置（10）では、圧縮機（30）が駆動されて、四路切換弁（33）が第１状態に設定されると暖房運転が行われる。暖房運転では、冷媒回路（18）において室外熱交換器（35）が蒸発器となって室内熱交換器（37）が凝縮器となる蒸気圧縮冷凍サイクルが行われる。一方、圧縮機（30）が駆動されて、四路切換弁（33）が第２状態に設定されると冷房運転が行われる。冷房運転では、冷媒回路（18）において室外熱交換器（35）が凝縮器となって室内熱交換器（37）が蒸発器となる蒸気圧縮冷凍サイクルが行われる。
【００３９】
−室内ユニットの構成−
本発明に係る室内ユニット（13）は、図２〜図５に示すように、ケーシング本体（26）と化粧パネル（27）とを有するケーシング（34）を備えている。このケーシング（34）内には、室内熱交換器（37）、室内ファン（39）、ドレンパン（40）、エアフィルタ（41）、塵埃除去手段である塵埃除去機構（42）、塵埃貯留容器（43）、及び昇降手段である容器昇降機構（44）が設けられている。
【００４０】
上記ケーシング本体（26）は、下方に開口する略直方体の箱状に形成されていて、その下部が天井板の開口を挿通した状態で設置されている。このケーシング本体（26）の内面には、断熱材（17）が配設されている。
【００４１】
上記化粧パネル（27）は、矩形の板状に形成されている。この化粧パネル（27）は、平面視で上記ケーシング本体（26）よりも大きく形成されている。上記化粧パネル（27）は、シール部材（19）を介してケーシング本体（26）の開口を覆うように取り付けられる。すなわち、上記化粧パネル（27）は、ケーシング本体（26）に取り付けられた状態で該化粧パネル（27）のみが室内から見えるように取り付けられている。
【００４２】
上記化粧パネル（27）には、図３に示すように、１つの吸込口（22）と４つの吹出口（23,23,…）とが形成されている。吸込口（22）は、上記化粧パネル（27）の中央部に矩形状に形成されている。この吸込口（22）には、複数の通風口がスリット状に形成された吸込グリル（29）が嵌め込まれている。上記各吹出口（23）は、細長い矩形状に形成されていて、上記吸込口（22）を囲むように上記化粧パネル（27）の各辺に沿って形成されている。なお、特に図示しないが、上記吹出口（23,23,…）には、吹き出し方向を変えられるように、長手方向に延びる回転軸線を中心として回動可能に構成されたカバー部材が設けられている。
【００４３】
また、上記化粧パネル（27）において、上記吸込口（22）と吹出口（23）との間には、上記塵埃貯留容器（43）の収容される容器収容部（20）としての開口部が形成されている。すなわち、上記容器収容部（20）は、平面視で細長い矩形状に形成されていて、上記吸込口（22）の１辺と吹出口（23）との間に設けられている。
【００４４】
上記室内ファン（39）は、いわゆるターボファンである。この室内ファン（39）は、平面視で上記ケーシング本体（26）の真ん中付近に配置され、上記吸込口（22）の上側に位置付けられている。また、上記室内ファン（39）は、ファンモータ（39a）と羽根車（39b）とを備えている。このファンモータ（39a）はケーシング本体（26）の天板に固定されている一方、羽根車（39b）はファンモータ（39a）の回転軸に連結されている。室内ファン（39）の下方には、上記吸込口（22）から該室内ファン（39）の吸込口へと空気を導くためのベルマウス（25）が設けられていて、上記室内ファン（39）は、該ベルマウス（25）を介して下方から吸い込んだ空気を径方向外方へ吹き出すように構成されている。
【００４５】
上記室内熱交換器（37）は、クロスフィン式のフィン・アンド・チューブ型熱交換器として構成されている。この室内熱交換器（37）は、特に図示しないが、平面視でロ字状に形成され、上記室内ファン（39）を囲むように配置されている。これにより、上記室内熱交換器（37）では、上記室内ファン（39）によって側方に吹き出された室内空気と、該室内熱交換器（37）内に流通する冷媒との間で熱交換が行われる。
【００４６】
上記ドレンパン（40）は、上記室内熱交換器（37）の下側に設けられている。このドレンパン（40）は、室内熱交換器（37）で空気中の水分が凝縮して生じるドレン水を受けるためのものである。特に図示しないが、上記ドレンパン（40）には、ドレン水を排水するためのドレンポンプが設けられていて、該ドレンポンプを設置した箇所にドレン水が集まるように勾配が設けられている。
【００４７】
上記塵埃貯留容器（43）は、図７にも示すように、細長い直方体形状の部材であり、その上面に長手方向に延びるスリット状の開口部（43a）が形成されている。この開口部（43a）内には、後述するように、塵埃除去機構（42）の回転ブラシ（50）が位置付けられている。また、上記塵埃貯留容器（43）の長手方向の両端部には、後述する容器昇降機構（44）のワイヤ部材（58,58）が接続されている。
【００４８】
上記塵埃除去機構（42）は、回転ブラシ（50）と、フィルタ保持部（51）と、駆動機構を構成する除去機構側モータ（57）とを備えていて、該回転ブラシ（50）がエアフィルタ（41）の表面に接触することで、該エアフィルタ（41）に捕捉された塵埃を除去するように構成されている。
【００４９】
上記回転ブラシ（50）は、棒状のシャフト部（50a）と、該シャフト部（50a）の外周面から径方向外方へ延びる複数の植毛により構成されるブラシ部（50b）とを備えている。また、上記回転ブラシ（50）は、シャフト部（50a）の軸方向が上記塵埃貯留容器（43）の長手方向と一致するように該塵埃貯留容器（43）の開口部（43a）内に配置されている。
【００５０】
ここで、本実施形態では、上記回転ブラシ（50）が、上記塵埃貯留容器（43）内に貯留された塵埃を均す塵埃均し機構（60）も構成している。具体的には、上記回転ブラシ（50）を上記塵埃貯留容器（43）に形成された開口部（43a）内の所定高さに位置付けることで、上記回転ブラシ（50）によってエアフィルタ（41）から除去され、上記塵埃貯留容器（43）内で該回転ブラシ（50）の下方に堆積した（図７（a）参照）塵埃を、該回転ブラシ（50）の回転によって上記塵埃貯留容器（43）内で均すことができる（図７（ｂ）参照）。なお、上記所定高さとは、上記塵埃貯留容器（43）内で堆積した塵埃を均す必要があるような高さ位置を意味していて、例えば、上記塵埃貯留容器（43）内から塵埃が容器外へ飛散しないような高さ位置のうち最も高い位置に設定される。
【００５１】
上記フィルタ保持部（51）は、図５に示すように、回転機構（54）とベルト（55）とレール部材（56）とをそれぞれ２つずつ備えている。上記回転機構（54）は、シャフト部（54a）と、該シャフト部（54a）の両端にそれぞれ取り付けられたローラ部（54b）とを備えている。このローラ部（54b）の外周面には、後述するベルト（55）の内周面に形成されたコグと噛合可能な複数の溝が形成されている。上記２つの回動機構（54）は、シャフト部（54a）の軸方向が回転ブラシ（50）のシャフト部（50a）の軸方向と略一致するように、所定の間隔をあけて配置されている。また、上記２つの回転機構（54）のうち一方は、上記回転ブラシ（50）の上方に位置している。なお、特に図示しないが、この回転機構（54）には、ギアが設けられていて、該ギアが上記除去機構側モータ（57）のシャフトに取り付けられたモータ側ギアと噛み合うように構成されている。
【００５２】
上記ベルト（55）は、内周面に複数のコグが形成されたコグ付きベルトである。このベルト（55）は、コグがローラ部（54b）の溝に噛み合う状態で、上記回転機構（54）のローラ部（54b）に懸架されている。このベルト（55）の外周面には、エアフィルタ（41）のフレーム（41a）に形成された穴部（41b）（図６参照）に係合する凸部（55a）が形成されている。すなわち、上記ベルト（55）は、外周面上の凸部（55a）にエアフィルタ（41）のフレーム（41a）の穴部（41b）を係合させた状態で、回転することにより、該エアフィルタ（41）を搬送するように構成されている。
【００５３】
上記レール部材（56）は、側面視で環状に形成された部材であり、上記ベルト（55）の外周面を囲むように配置されている。すなわち、上記レール部材（56）は、上記ベルト（55）によって搬送されるエアフィルタ（41）のガイドの役割を果たしている。
【００５４】
上記容器昇降機構（44）は、図４に示すように、昇降機構側モータ（53）と２本のワイヤ部材（58）とを備えている。昇降機構側モータ（53）のシャフトに取り付けられたワイヤドラムには、各ワイヤ部材（58）の一端が接続されている。各ワイヤ部材（58）の他端は、塵埃貯留容器（43）の長手方向両端部に接続されている。上記ワイヤ部材（58）は、塵埃貯留容器（43）の上方に設けられたガイド部材（59）に懸架されており、昇降機構側モータ（53）のワイヤドラムからガイド部材（59）までは水平方向に延びてガイド部材（59）から塵埃貯留容器（43）までは鉛直方向に延びている。なお、この実施形態では、上記ワイヤ部材（58,58）を２本設けるようにしているが、この限りではなく、１本のみでもよい。また、ワイヤ部材（58）の他端側が複数に分岐していてもよい。この場合、ワイヤ部材（58）の各他端は塵埃貯留容器（43）にそれぞれ接続される。
【００５５】
−塵埃の除去及び回収動作−
次に、上述のような構成の室内ユニット（13）において、上記エアフィルタ（41）に捕捉された塵埃を除去及び回収する動作について説明する。
【００５６】
上記室内ユニット（13）の通常運転時には、上記エアフィルタ（41）は、図２、図４及び図５のように室内ファン（39）の吸込口のほぼ真下に位置付けられる。この際、エアフィルタ（41）は、該室内ファン（39）の吸い込む空気中に含まれる塵埃を捕捉し、塵埃の少ない空気が該室内ファン（39）へ流れるようにしている。
【００５７】
そして、上記室内ユニット（13）は、上記エアフィルタ（41）に多量の塵埃が捕捉されたことを検知すると、塵埃除去機構（42）の除去機構側モータ（57）を駆動させて、ベルト（55）の回転によって該エアフィルタ（41）を水平方向（図４において左右方向）に移動させる。このとき、上記エアフィルタ（41）の室内側の面には、上記塵埃除去機構（42）の回転ブラシ（50）が接触しているため、上記エアフィルタ（41）の移動によって、該回転ブラシ（50）がエアフィルタ（41）の室内側の面に付着した塵埃を掻き取る。ここで、上記エアフィルタ（41）に多量の塵埃が捕捉されたことは、例えば、エアフィルタの上下流での圧力差等を検出することによって検知することができる。
【００５８】
なお、上記ベルト（55）によって水平方向に移動するエアフィルタ（41）の前端部は、環状のレール部材（56）によって該ベルト（55）に沿うように移動し、該ベルト（55）とレール部材（56）との間を１周回る。すなわち、上記除去機構側モータ（57）は、上記エアフィルタ（41）全体が回転ブラシ（50）の上を通過した後も駆動し続けて、上記エアフィルタ（41）全体が例えば図２の位置に戻ると停止するように構成されている。これにより、狭いスペースでも上記エアフィルタ（41）を回転ブラシ（50）に対して効率良く移動させることができる。
【００５９】
上記回転ブラシ（50）によって掻き取られた塵埃は、該回転ブラシ（50）の下方に位置する箱状の塵埃貯留容器（43）内に落ちて該塵埃貯留容器（43）内で貯留される。このとき、上記回転ブラシ（50）は、塵埃貯留容器（43）の開口部（43a）内に位置付けられているため、該回転ブラシ（50）によって上記エアフィルタ（41）から掻き取られた塵埃は該塵埃貯留容器（43）内に効率良く溜められることになる。また、上記回転ブラシ（50）を開口部（43a）内に位置付けて回転させることにより、上記塵埃貯留容器（43）内に貯留された塵埃を均すことができ、該塵埃貯留容器（43）内に塵埃を効率良く貯留することができる。さらに、上記回転ブラシ（50）によって開口部（43a）から塵埃が外部へ飛散するのも防止することができる。
【００６０】
そして、上記塵埃貯留容器（43）内に塵埃が所定量以上、貯留されたことを検知した場合には、該塵埃貯留容器（43）を容器昇降機構（44）のワイヤ部材（58,58）で吊りながら、昇降機側モータ（53）の回転によって、略水平状態のまま下降させる。上記塵埃貯留容器（43）を作業員の手が届く範囲まで下降させた後、該塵埃貯留容器（43）から塵埃を回収する。ここで、上記塵埃貯留容器（43）内の塵埃の貯留量を検出する方法としては、例えば該塵埃貯留容器（43）内の塵埃の貯留高さや重量などを検出する方法などがある。また、上記塵埃貯留容器（43）内から塵埃を回収する方法としては、上記塵埃貯留容器（43）を傾けて塵埃を出す方法や、掃除機等で塵埃を吸引する方法などがある。
【００６１】
上記塵埃貯留容器（43）内から塵埃を回収した後、該塵埃貯留容器（43）を容器昇降機構（44）によって上昇させて、元の位置（図２の位置）に戻す。
【００６２】
このように、上記塵埃貯留容器（43）を昇降させることによって、作業者が高所作業を行うことなく、容易に塵埃を回収することができるとともに、該塵埃貯留容器(43）の昇降の際の衝撃や傾きによって内部の塵埃が移動したり舞い上がったりして周囲に飛散するのを防止することができる。なお、本実施形態では、上記塵埃貯留容器（43）のみを昇降させるように構成されているが、この限りではなく、上記塵埃貯留容器（43）を吸込グリル（29）とともに昇降させるようにしてもよい。
【００６３】
−実施形態１の効果−
以上より、本実施形態では、室内ファン（39）の吸込側に位置するエアフィルタ（41）に捕捉された塵埃を塵埃除去機構（42）によって除去し、塵埃貯留容器（43）内に貯留するようにしたため、上記エアフィルタ（41）を取り外すことなく、該エアフィルタ（41）のメンテナンスを行うことができるとともに、上記塵埃貯留容器(43）内に貯留しておくことで、塵埃の回収作業の頻度を少なくすることができ、回収効率の向上を図れる。
【００６４】
そして、上記塵埃貯留容器（43）に形成された開口部（43a）内に、上記塵埃除去機構（42）の回転ブラシ（50）を配置し、該回転ブラシ（50）によって上記エアフィルタ(41）から除去されて該回転ブラシ（50）の下方に堆積した塵埃が所定の高さになったときに、該回転ブラシ（50）を回転させることで、上記塵埃貯留容器（43）内の塵埃を均すことができる。これにより、上記塵埃貯留容器（43）内全体に塵埃を広げることができ、該塵埃貯留容器（43）内に塵埃を効率良く貯留することができる。
【００６５】
《実施形態２》
次に、本発明の実施形態２について図８に基づいて説明する。なお、本実施形態は、図８に示すように、塵埃均し機構（70）として均し用回転ブラシ（71,71）（第２の回転ブラシ）を備えている点が上記実施形態１と異なるだけなので、同じ部分には同じ符号を付し、異なる部分について以下で説明する。
【００６６】
すなわち、塵埃貯留容器（43）内には、塵埃除去機構（42）の回転ブラシ（50）以外に、一対の均し用回転ブラシ（71,71）が設けられている。この均し用回転ブラシ（71,71）は、上記回転ブラシ（50）よりも小径に形成されていて、該回転ブラシ（50）を挟んでその両側に略平行に配置されている。そして、上記一対の均し用回転ブラシ（71,71）は、上記回転ブラシ（50）側から外方へ向かって回転するように、互いに回転方向が逆になるよう構成されている。すなわち、上記均し用回転ブラシ（71,71）は、上記塵埃貯留容器（43）内で上記回転ブラシ（50）の下方に堆積した塵埃を、該塵埃貯留容器（43）の長手方向両端部へ広げるよう構成されている。
【００６７】
なお、本実施形態では、一対の均し用回転ブラシ（71,71）を設けるようにしているが、この限りではなく、均し用回転ブラシ（71）を１本のみ設けるようにしてもよい。この場合には、上記回転ブラシ（50）を利用して塵埃を均すようにすればよい。具体的には、塵埃が上記塵埃貯留容器(43）の長手方向両端部に移動するように、上記均し用回転ブラシ（71）及び回転ブラシ（50）の回転方向を、それぞれ、逆方向にすればよい。また、上記均し用回転ブラシは、３本以上設けるようにしても良い。
【００６８】
−実施形態２の効果−
以上より、本実施形態では、塵埃均し機構（70）として、塵埃貯留容器（43）内に均し用回転ブラシ（71,71）を設けたため、該均し用回転ブラシ（71,71）によって塵埃を該塵埃貯留容器（43）内全体により確実に広げることができる。すなわち、塵埃除去機構（42）の回転ブラシ（50）を挟んでその両側に一対の均しブラシ（71,71）を設け、塵埃を回転ブラシ（50）の下方から上記塵埃貯留容器（43）の長手方向両端部へ移動させるように、該均しブラシ（71,71）の回転させることで、該回転ブラシ（50）の下方に堆積した塵埃を該塵埃貯留容器（43）の長手方向両端部へ広げることができ、該塵埃貯留容器（43）内に塵埃を効率良く貯留することができる。
【００６９】
したがって、室内ユニット（13）から塵埃を回収する作業の頻度を少なくすることができ、塵埃回収作業の効率を向上することができる。
【００７０】
《実施形態３》
次に、本発明の実施形態３について図９に基づいて説明する。なお、本実施形態は、図９に示すように、塵埃均し機構として塵埃貯留容器（43）に振動を与える加振手段（80）を有している点が上記実施形態１と異なるだけなので、同じ部分には同じ符号を付し、異なる部分について以下で説明する。
【００７１】
すなわち、この実施形態では、上記塵埃貯留容器(43）に振動を加えるための加振手段（80）が設けられている。この加振手段（80）は、例えば、上記塵埃貯留容器（43）を昇降させるための容器昇降機構（44）と、該容器昇降機構（44）を動作させるコントローラ（図示省略）と、によって構成されている。すなわち、上記加振手段（80）は、上記容器昇降機構（44）の昇降機側モータ（53）を巻き上げ方向及び巻き戻し方向に短い間隔で交互に駆動させることで、上記塵埃貯留容器（43）に対して昇降による振動を付与するように構成されている。
【００７２】
ここで、上述のように上記塵埃貯留容器（43）に振動を与える場合には、該塵埃貯留容器（43）の開口部（43a）内に配置された上記回転ブラシ（50）が損傷を受けないように、図９（ｂ）に示すように該回転ブラシ（50）を塵埃貯留容器（43）に対し上方に位置付けるのが好ましい。
【００７３】
なお、上記加振手段（80）は、上記容器昇降機構（44）を利用するものに限らず、上記塵埃貯留容器（43）に、別途、振動を与えるような加振器を備えたものであってもよい。
【００７４】
このように、上記塵埃貯留容器（43）に対して振動を与えることで、該塵埃貯留容器（43）内の塵埃を均して該塵埃貯留容器（43）内全体に広げることができる。
【００７５】
−実施形態３の効果−
以上より、本実施形態では、上記塵埃貯留容器（43）に振動を加える加振手段（80）を設けたため、該塵埃貯留容器（43）内の塵埃を均して広げることができ、該塵埃貯留容器（43）内に塵埃を効率良く貯留することができる。したがって、上記塵埃貯留容器（43）内から塵埃を回収する作業の頻度を減らすことができ、塵埃回収作業の効率を向上することができる。
【００７６】
また、上記加振手段（80）として、上記塵埃貯留容器（43）を昇降させる容器昇降機構（44）を利用することで、別に加振器等を設ける必要がなくなり、装置の製造コストの低減及びコンパクト化を図れる。
【００７７】
《実施形態４》
次に、本発明の実施形態４について図１０に基づいて説明する。なお、本実施形態は、図１０に示すように、塵埃均し機構（90）として風圧を利用した点が上記実施形態１と異なるだけなので、同じ部分には同じ符号を付し、異なる部分について以下で説明する。
【００７８】
すなわち、エアフィルタ（41）から除去された塵埃を貯留するための塵埃貯留容器（43）には、該塵埃の進入口としての開口部（43a）以外に、該開口部（43a）よりも小さい通風孔（43b,43b,…）が複数、設けられている。この通風孔（43b,43b,…）は、例えば、図１０に示すように、上記塵埃貯留容器（43）の上面の長手方向両端部と、上記開口部（43a）の下方の下面中央部とに形成されている。これにより、上記塵埃貯留容器（43）の下面中央部に形成された通風孔（43b,43b）から該塵埃貯留容器（43）内に流入した空気は、該塵埃貯留容器（43）の上面の長手方向両端部に形成された通風孔（43b,43b）から外部へ流出するように流れ、該寺内貯留容器（43）の中央部に堆積した塵埃を長手方向両端部へ広げることができる。
【００７９】
上記塵埃貯留容器（43）内には、室内ユニット（13）内の室内ファン（39）によって吸い込まれる空気が流れる。すなわち、上記室内ファン（39）によって、室内空間の空気は、吸込口（22）から上方へ吸い上げられるが、その際、上記塵埃貯留容器（43）の下面に形成された上記通風孔（43b,43b,…）を介して、該塵埃貯留容器（43）内にも空気が流れることになる。ここで、上記塵埃貯留容器（43）の下面に形成された通風孔（43b,43b）は、通常、図示しないカバー部材によって覆われていて、該塵埃貯留容器（43）内の塵埃を均す際にのみ開口するように構成されている。
【００８０】
また、上記塵埃貯留容器（43）には、その上面をスライド可能なスライド部材（91）が設けられていて、該スライド部材（91）によって上記開口部（43a）を覆うことができるようになっている。すなわち、上記塵埃貯留容器（43）に形成された複数の通風孔（43b,43b,…）に空気を流す場合には、上記開口部（43a）から塵埃が周囲に飛散しないように、上記スライド部材（91）によって該開口部（43a）を覆うことができる。
【００８１】
なお、上記開口部（43a）内に回転ブラシ（50）が配置されている場合、上記スライド部材（91）によって該開口部（43a）を覆う際には、上記回転ブラシ（50）を上昇若しくは上記塵埃貯留容器（43）を下降させて、該回転ブラシ（50）を開口部（43a）の上方へ逃がす必要がある。
【００８２】
ここで、上記通風孔（43b,43b,…）の形成された塵埃貯留容器（43）及び該塵埃貯留容器（43）内に空気を流す室内ファン（39）が、塵埃均し機構（90）を構成している。
【００８３】
−実施形態４の効果−
以上より、本実施形態では、上記塵埃貯留容器（43）の上面の長手方向両端部、及び開口部（43a）の下方で且つ下面の中央部に複数の通風孔（43b,43b,…）を形成し、該塵埃貯留容器（43）内で、下面中央に形成された通風孔（43b,43b）から上面の長手方向両端部に形成された通風孔（43b,43b）に向かって空気を流すことによって、該塵埃貯留容器（43）内の塵埃を均して長手方向両端部側へ広げることができる。
【００８４】
したがって、上記塵埃貯留容器（43）内に塵埃を効率良く貯留することができ、該塵埃貯留容器（43）から塵埃を回収する頻度を低減することができる。よって、塵埃の回収作業の効率を向上することができる。
【００８５】
また、上述のように、上記塵埃貯留容器（43）に複数の通風孔（43b,43b,…）を形成して、該塵埃貯留容器（43）内に室内ファン（39）によって生成される風を流すことにより、塵埃均し機構（90）を構成することができるので、別途、複雑な機構を設ける必要がなくなり、室内ユニット（13）の製造コストの低減及びコンパクト化を図れる。
【００８６】
さらに、上記塵埃貯留容器（43）にスライド部材（91）を設けて、上記通風孔の開口部（43a）を覆うことにより、上記塵埃貯留容器（43）の通風孔（43b,43b,…）を介して空気を流した場合に、該空気の流れによって該塵埃貯留容器（43）内の塵埃が上記開口部（43a）から外部へ飛散するのを確実に防止することができる。
【００８７】
《その他の実施形態》
上記各実施形態は、以下のように構成してもよい。
【００８８】
上記各実施形態では、吸込グリル（29）とは別に、塵埃収納容器（43）を設けているが、この限りではなく、図１１に示すように、該吸込グリル（29）を内部に空間の形成された箱状のカバー部材にして、該カバー部材を塵埃貯留容器（43）として利用するようにしてもよい。この場合には、上記カバー部材が容器昇降機構（44）によって昇降する（図１２参照）。
【００８９】
また、上記各実施形態では、上記エアフィルタ（41）を平板状にしているが、この限りではなく、図１３に示すように、エアフィルタ（41）を波状に保持する複数のガイドローラ（45,45,…）を設けるようにしてもよい。この場合、上記実施形態のように平板状に保持されるエアフィルタ（41）に比べて、エアフィルタ（41）の面積を大きくすることができる。従って、同じ量の塵埃を捕捉している状態で比較すると、単位面積当たりに付着する塵埃の量が少なくなるので、エアフィルタ（41）の空気抵抗を小さくすることができる。
【００９０】
また、上記各実施形態では、上記レール部材（56）を側面視で環状に形成しているが、この限りではなく、図１４に示すように、一方のローラ部（54b）側が開口するような略Ｕ字状に形成してもよい。この場合、上記レール部材（56）の開口側にはストッパー（56a）が設けられていて、エアフィルタ（41）はレール部材（56）とベルト（55）との間を往復移動する。すなわち、上記図１４において、エアフィルタ（41）から塵埃を除去する際は、該エアフィルタ（41）は、ローラ部（54b）の周りを反時計回りに回転移動して、上方位置まで到達した後、該ローラ部（54b）の周りを時計回りに回転移動して元の位置（図１４の位置）まで戻る。
【００９１】
また、上記各実施形態では、昇降機側モータ（53）によって塵埃貯留容器（43）を昇降させるようにしているが、この限りではなく、ユーザーが例えばハンドルを回すことによって塵埃貯留容器（43）を昇降させる機械式のものであってもよい。
【００９２】
また、上記各実施形態では、除去機構側モータ（57）が回転機構（54）を回転するように構成されているが、この限りではなく、回転ブラシ（50）を回転させるように構成されていてもよい。この場合、エアフィルタ（41）は、回転ブラシ（50）の回転によって移動する。さらに、上記回転機構（54）及び回転ブラシ（50）の両方が回転するように構成してもよい。この場合、回転ブラシ（50）を回転させるためのブラシ用モータが設けられる。
【００９３】
また、上記各実施形態では、塵埃除去機構（42）の除去機構側モータ（57）と容器昇降機構（44）の昇降機側モータ（53）とを別々に設けているが、この限りではなく、２つのモータを一つのモータによって兼用させてもよい。つまり、除去機構側モータ（57）が、回転ブラシ（50）又は回転機構（54）だけでなく、ワイヤ部材（58）が巻き付けられたワイヤドラムにも係合可能に構成されている。
【００９４】
また、上記各実施形態では、化粧パネル（27）内に塵埃貯留容器（43）を設けるようにしているが、この限りはなく、ケーシング本体（26）の外側に塵埃貯留容器（43）を配置していてもよい。
【００９５】
さらに、上記実施形態では、エアフィルタ（41）をシート状の構成としているが、この限りではなく、図１５に示すように、ベルト部材（95）の一部にフィルタ部（96）を設けるようにしてもよい。この図１５において、ベルト部材（95）は、幅方向中央部にフィルタ部（96）が設けられている一方、幅方向両端部にそれぞれベルト部（97,97）が形成されていて、該ベルト部（97,97）の内面に形成されたコグが上記回転機構（54）のローラ部（54b）の複数の歯部に係合する。すなわち、上記ベルト状の部材（95）は、幅方向中央部分のうち上記フィルタ部（96）以外の部分が切り取られた形状を有している。これにより、上記ベルト部材（95）は、上記回転機構（54）によって回転しても、フィルタ部（96）と対向する部分は切り取られているため、該フィルタ部（96）のみに塵埃が付着する。
【産業上の利用可能性】
【００９６】
以上説明したように、本発明は、天井に設置される空気調和装置の室内ユニットについて有用である。
【図面の簡単な説明】
【００９７】
【図１】本発明の実施形態１に係る空気調和装置の冷媒回路の概略構成図である。
【図２】本発明の実施形態１に係る室内ユニットの断面図である。
【図３】本発明の実施形態１に係る化粧パネルの斜視図である。
【図４】本発明の実施形態１に係る塵埃除去機構及び容器昇降機構を側方から見た場合の模式図である。
【図５】本発明の実施形態１に係るフィルタ保持部の斜視図である。
【図６】本発明の実施形態１に係るエアフィルタの斜視図である。
【図７】本発明の実施形態１に係る塵埃均し機構の動作を示す模式図である。
【図８】本発明の実施形態２に係る塵埃均し機構の動作を示す模式図である。
【図９】本発明の実施形態３に係る塵埃均し機構の動作を示す模式図である。
【図１０】本発明の実施形態４に係る塵埃均し機構の動作を示す模式図である。
【図１１】その他の実施形態に係る室内ユニットの断面図である。
【図１２】その他の実施形態に係る化粧パネルの斜視図である。
【図１３】その他の実施形態に係るフィルタ保持部の側面図である。
【図１４】その他の実施形態に係るフィルタ保持部の側面図である。
【図１５】その他の実施形態に係るベルト部材の斜視図である。
【符号の説明】
【００９８】
10  空気調和装置
13  室内ユニット
34  ケーシング
39  室内ファン（風圧付与手段）
41  エアフィルタ
42  塵埃除去機構（塵埃除去手段）
43  塵埃貯留容器
43a 開口部
43b 通気孔
44  容器昇降機構（昇降手段）
50  回転ブラシ
60,70,90  塵埃均し手段
71  均し用回転ブラシ（第２の回転ブラシ）
80  加振手段
【図１】
2008209086.tif 000003
【図２】
2008209086.tif 000004
【図３】
2008209086.tif 000005
【図４】
2008209086.tif 000006
【図５】
2008209086.tif 000007
【図６】
2008209086.tif 000008
【図７】
2008209086.tif 000009
【図８】
2008209086.tif 000010
【図９】
2008209086.tif 000011
【図１０】
2008209086.tif 000012
【図１１】
2008209086.tif 000013
【図１２】
2008209086.tif 000014
【図１３】
2008209086.tif 000015
【図１４】
2008209086.tif 000016
【図１５】
2008209086.tif 000017